(57)【要約】【課題】本発明は、空間的位置に関連付けて情報を登録可能で、空間的条件を手がかりに前記情報の少なくとも一部を出力可能である情報管理システムを提供する事を目的とする。【解決手段】予め空間を複数の単位区分に分割し、更に空間を少なくとも一の外の複数の単位区分にも分割しておき、情報提供者より提供される所望の空間的位置を含む情報を登録可能とする情報入力手段およびＤＢ登録手段と、情報受給者に対して所望の空間的条件を含む要求に応じた情報を出力可能とするＤＢ検索手段および情報出力手段を備え、空間的位置と空間的条件の少なくとも一方が入力されると、空間的位置／空間的条件を、それより小さな単位区分を少なく組合せる加算方式（１１２）と、それより大きな単位区分と差分とを少なく組合せる減算方式（１１３―１１５）の、各演算結果から１又は２以上を組合せ、データサイズをより小さくすべく選択し表現可能とする位置最適化手段を備えている。【選択図】　　　図８
2004133828.tif 000002
【特許請求の範囲】
【請求項１】
所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報と要求の少なくとも一方（以下「情報／要求」と記載する）をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置と空間的条件の少なくとも一方（以下「空間的位置／空間的条件」と記載する）が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理システム。
【請求項２】
情報をＤＢへ登録可能で情報をＤＢより出力可能とする情報管理装置であって、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理装置。
【請求項３】
情報をＤＢへ登録し情報をＤＢより出力する情報管理方法であって、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録するＤＢ登録段階と、要求と情報とを照合するＤＢ検索段階と、ＤＢ検索手段により選択した情報を情報受給者へ出力する情報出力段階と、空間的位置／空間的条件が入力されると、空間的位置／空間的条件を、データサイズをより小さくするよう前記単位区分を選択し表現する位置最適化段階を備え、前記位置最適化段階は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択する事を特徴とする情報管理方法。
【請求項４】
コンピュータのＤＢに情報を登録可能で登録された情報を選択可能とするための情報管理プログラムであって、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段として機能させ、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理プログラム。
【請求項５】
所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備える事を特徴とする情報管理システム。
【請求項６】
情報をＤＢへ登録可能で情報をＤＢより出力可能とする情報管理装置であって、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備える事を特徴とする情報管理装置。
【請求項７】
情報をＤＢへ登録し情報をＤＢより出力する情報管理方法であって、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録可能とするＤＢ登録段階と、要求と情報とを照合するＤＢ検索段階と、ＤＢ検索段階により選択した情報を情報受給者へ出力する情報出力段階と、空間的位置／空間的条件が入力されると前記単位区分をより少なく組合せデータサイズを小さくする位置最適化段階を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化段階を備える事を特徴とする情報管理方法。
【請求項８】
コンピュータのＤＢに情報を登録可能で登録された情報を選択可能とするための情報管理プログラムであって、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段として機能させ、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段として機能させるための情報管理プログラム。
【発明の詳細な説明】
【０００１】
【発明の属する技術分野】
本発明は、空間的位置に関連付けて情報を登録可能で、空間的条件を手がかりに前記情報を出力可能な情報管理装置に関し、特に所定の通信ネットワークを介して情報管理装置及び端末装置が接続され情報を入出力可能とされる情報管理システムに関する。
【０００２】
【従来の技術】
本明細書において、データベースをＤＢと略し、特に説明がない限り、基本的にＤＢはテキスト形式のデータベースを示し、代表的な製品としてはオラクルが知られている。一方、前記テキスト形式のＤＢに対して、ベクトル形式の地図データベースを単に「図」とした。また本明細書の一部において、情報提供者は情報提供者が操作する端末装置、情報受給者は情報受給者が操作する端末装置を示している。
【０００３】
従来、地理情報システム（以下「ＧＩＳ」という）をインターネットを介して公開することで、空間的位置に関連付けて各種情報を登録可能な情報管理システム（例えば、特許文献１参照。）、および空間的条件を手がかりに前記情報の少なくとも一部を出力可能な情報管理システム（例えば、特許文献２参照。）は既に知られている。
【０００４】
前記情報管理システムは、インターネット上にＷＥＢサイトとして実施可能とし、広告主と被広告者との間での各種広告を可能とし、広告主、即ち情報提供者は空間的位置として点情報（店舗等）を登録可能であって、被広告者、即ち情報受給者は空間的条件として行政界、郵便番号等の単純な範囲を指定可能で該範囲内の各種情報を受給可能とする。前記情報管理システムは、情報提供者に対して、空間上の一点に関連付けて各種情報を登録可能としているが、空間的に所望の範囲に関連付けて情報を登録可能とはされていない。また、情報受給者に対して、住所、郵便番号を指定するか又は所望の矩形を指定する等の単純な空間的条件でしか情報を受給できない。
【０００５】
そこで本発明の出願人は、前記問題点を鑑み、先に特許を出願した（特許文献３参照。）。該特許文献３において、前記空間的位置と空間的条件の少なくとも一方は空間的にいびつな範囲を指定可能で、ＤＢ検索時間が登録される情報の量にほとんど影響されず、簡便に利用可能な情報管理システムを提供する事を可能とした。
また本発明の出願人は、更に該特許文献３の技術に改善を施した特許（特願２００２―０８９７４５、以下「未公開特許１」という）を出願している。該未公開特許１の情報管理システムにおいて、稼動状況を多角的に監視する事で、利便性を向上できた。
【０００６】
ところで、全国的にチェーン展開している宅配ピザ屋の出前情報を登録する事を仮定する。まず例えば、Ａ町１丁目、同２丁目、の様に丁目単位を１レコードとすれば、１店舗当りの出前範囲は概ね２００〜３００レコードで表現できる。しかし、これでは１の宅配ピザ屋チェーンだけで１０万レコード以上を占め、実用的とは言えない。次に、特許文献３の技術を用いると、１店舗当りの出前範囲は概ね７０〜１００レコードで表現でき、ＤＢのサイズを概ね１／３に削減できる。しかし、これでも１の宅配ピザ屋チェーンだけで３万レコード以上を占める。
【０００７】
そこで、更にＤＢのサイズを削減できる技術が求められる。第１５図は、登録される情報量２０１を横軸に、使用されるレコード数２０２を縦軸にとり、情報量とレコード数の関係を示している。求められる技術は、特許文献３の技術を用いた場合のレコード数の伸び２０３に対して大きく削減したレコード数の伸び２０４を可能とする技術１（２０５）と、レコード数が所定数を超えると実施しレコード数の伸び２０６に削減可能とする技術２（２０７）である。
【０００８】
また、特許文献３において、情報ＤＢを検索する事で所望の情報を出力可能としたが、一度出力された情報は情報ＤＢとの関連付けが断たれてしまう。しかし例えば、情報が販売店の広告情報であって、情報ＤＢに該販売店が自治体から許可された営業範囲情報が登録されていれば、広告情報は、一度情報ＤＢから出力されようとも、常に情報ＤＢに登録された営業範囲情報と関連付けられ、出力された広告情報が閲覧される度に閲覧者の空間的位置と広告情報の営業範囲とが照合される事が望ましい。
【０００９】
【特許文献１】
特許第２７５６４８３号公報（第４−５頁、第３−４図）
【特許文献２】
特許第３０１１０９８号公報（第２−５頁、第２−５図）
【特許文献３】
特許第３３０２９８６号公報（第１２頁、第９−１０図）
【００１０】
【発明が解決しようとする課題】
本発明は、空間的位置に関連付けて情報を登録可能で、空間的条件を手がかりに前記情報を出力可能とする情報管理装置を提供する事を目的とし、特に所定の通信ネットワークを介して情報管理装置及び端末装置が接続され情報を入出力可能とする情報管理システムを提供する事を目的とし、具体的に前記空間的位置と空間的条件の少なくとも一方は空間的にいびつな範囲を指定可能で、ＤＢ検索時間が登録される情報の量にほとんど影響されず、簡便に利用可能で、従来の技術よりも更にＤＢのサイズを削減可能とした情報管理システムを提供する事を目的とする。
【００１１】
また本発明は、情報に、一度情報ＤＢから出力されようとも、常に情報ＤＢに登録された空間的位置と関連付けておき、出力された情報が閲覧者によって利用されようとすると、利用者および情報にそれぞれ関連付け情報ＤＢに登録しておいた空間的位置を照合可能とし、該照合の結果に基づいて利用を許可又は拒絶可能とする事を目的とする。
【００１２】
【課題を解決するための手段】
まず、上記目的を達成するために、所定の通信ネットワークを介してホストに接続されたＤＢへ端末装置より情報を登録可能とし、ＤＢより端末装置へ情報を出力可能とする情報管理システムにおいて、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報と要求の少なくとも一方（以下「情報／要求」と記載する）をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置と空間的条件の少なくとも一方（以下「空間的位置／空間的条件」と記載する）が入力されると、空間的位置／空間的条件を、データサイズをより小さくするよう前記単位区分を選択し表現する位置最適化手段を備えている。
【００１３】
そして前記情報管理システムにおいて、前記技術１として、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能としている。
【００１４】
なお、前記減算方式とは、例えば「東京の２３区のうち渋谷区を除く全域」を表現するために、特許文献３において開示した従来の方式、即ち加算方式では２３−１＝２２レコードを費やすのに対して、「２３区―渋谷区」＝２レコードで表現する方法であり、場合によっては大幅にレコード数を削減できる技術である。本発明の位置最適化手段は、加算方式および減算方式を施し、各演算結果から１又は２以上を組合せ、データサイズをより小さくするよう単位区分を選択し表現可能としている。
【００１５】
インターネット上の一部の著名なポータルサイトにおいて、利用者に対して例えば「日本の大学―Ｎ大学文学部」という条件式を指定可能としており、日本の全大学を「大学」項を大分類、「学部」を中分類として分類し登録しておいたＤＢから、Ｎ大学の文学部を除く全ての日本の大学の情報を出力するかに思われる。しかし実際には、前記ポータルサイトにおいて、前記条件式内の「Ｎ大学文学部」を１の文字の塊と認識している以外に、上位から「日本の大学」、「Ｎ大学」、「文学部」の順に分類し識別しているとは考えられず、空間的位置を多階層で分類した単位区分を少なく組合せ表現する、本発明の技術とは異なる。
【００１６】
ところで、日本は、４７の都道府県そして約３，２００の市町村に分割され自治されており、１の都道府県当り約６８の市町村に分割されている。例えば、１の県内の３５市町村に渡る、ある宅配業者の営業範囲を表現する為に、前記加算方式では３５レコードを費やし、前記減算方式では３４レコードを費やし、いずれの方式を用いても大幅にレコード数を削減できない。この問題点は、▲１▼１の県内の市町村数が多い点、▲２▼市町村階層の中には、各単位区分が、中心地の様に小さく密集している箇所とへき地の様に大きくされている箇所とが共に存在している点、に起因している。しかし、予め密集している複数の市町村、即ち単位区分、をグループ化しようにも最適な基準が不明確である。
【００１７】
そこで前記情報管理システムにおいて、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備えている。
【００１８】
なお前記所定の条件は例えば、空間的位置／空間的条件が登録されたＤＢが所定のサイズを超える事、空間的位置の少なくとも一部が重複する情報が所定の数を超える事、また、所定の時間が経過する事、等である。
前記ＤＢ最適化手段は、所定の条件を満たすことで、多くの登録された情報位置に一様に含まれる複数の単位区分をグループ化するものであり、ＤＢに蓄積される情報位置に応じて柔軟にかつ実用的にグループ化するものである。
【００１９】
また前記ＤＢ最適化手段は、一度新設した単位区分であっても、後に情報位置が追加されたＤＢの分析結果に応じて、該グループを拡大または縮小したり、また複数のグループを統合したり、１のグループを分割したり、また削除可能としている。
【００２０】
ところで本発明の出願人は、特許文献１の
【００２１】〜
【００２２】および第３０、３１図において、単位区分を分割または統合する技術を開示た。しかし該技術は、県、市町村等の、明確な規則、慣習に基づいて予め分割しておいた単位区分を、例えば道路の新設、廃止等の、明確な規則、慣習に基づいて、分割または統合可能とした技術であるのに対して、本発明のＤＢ最適化手段は、単位区分を、ＤＢに登録された情報に基づいて、柔軟かつ最適に新設、分割または統合可能とする技術である。
なお、単位区分図、単位区分ＤＢ、情報位置ＤＢおよび要求位置ＤＢについて、新設する単位区分の為の階層を予め設けておいても、必要に応じて階層を新設するのであっても構わない。
【００２３】
また前記情報管理システムにおいて、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００２４】
また、情報をＤＢへ登録可能で情報をＤＢより出力可能とする情報管理装置において、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段を備えている。
【００２５】
そして前記情報管理システムにおいて、前記技術１として、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能としている。
【００２６】
また前記情報管理システムにおいて、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備えている。
【００２７】
また前記情報管理システムにおいて、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００２８】
また、情報をＤＢへ登録し情報をＤＢより出力する情報管理方法において、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録するＤＢ登録段階と、要求と情報とを照合するＤＢ検索段階と、ＤＢ検索手段により選択した情報を情報受給者へ出力する情報出力段階と、空間的位置／空間的条件が入力されると、空間的位置／空間的条件を、データサイズをより小さくするよう前記単位区分を選択し表現する位置最適化段階を備えている。
【００２９】
そして前記情報管理方法において、前記技術１として、前記位置最適化段階は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択する。
【００３０】
また前記情報管理方法において、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化段階を備えている。
【００３１】
また前記情報管理方法において、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００３２】
また、コンピュータのＤＢに情報を登録可能で登録された情報を選択可能とするための情報管理プログラムにおいて、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段として機能させる。
【００３３】
そして前記情報管理プログラムにおいて、前記技術１として、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能としている。
【００３４】
また前記情報管理プログラムにおいて、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段として機能させる。
【００３５】
また前記情報管理プログラムにおいて、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００３６】
なお前記単位区分について、例えば、土地又は海洋をそれぞれ市単位、丁目単位、番地単位の単位区分に分割した二以上の地図レイヤ（層）より構成された単位区分図及び単位区分ＤＢを用意しておく。番地単位の複数の単位区分を組合せる事で丁目単位の一の単位区分を表現でき、丁目単位の複数の単位区分を組合せる事で市単位の一の単位区分を表現できる。
【００３７】
また前記位置最適化手段又は位置最適化段階について、具体的には情報位置／要求位置が入力されると、一の市が含まれていれば一のレコードで表現し、更に一の丁目が含まれていれば一のレコードで表現し、更に一の番地が含まれていれば一のレコードで表現し（加算方式）、また情報位置／要求位置を含みより大きい単位区分（Ａ）とその差分（Ｂ）よりＡ−Ｂとして表現し（減算方式）、データサイズを最少に出来る組合せを選択可能とする。
また前記位置最適化手段又は位置最適化段階において、情報位置／要求位置を厳密に一致させて最適化できない場合には、例えば面積計で数％以内の誤差を許容し近似して最適化を施す。また、情報位置／要求位置を表現するレコード数を最大でｎに制限しておき、厳密に一致可能であったとしても、レコード数をｎ以内に抑えるために近似して最適化を施す。
【００３８】
なお本発明の情報管理システム、情報管理装置そして情報管理プログラムが備える外の各手段および各語句、そして情報管理方法が備える外の各段階および各語句について、特許文献３および未公開特許１に開示してあり、本明細書において省略した。
【００３９】
【発明の実施の形態】
以下、本発明の実施の形態について図面を参照しながら詳細に説明する。なお、各実施の形態において図示された各装置は、本発明の要部を説明したものであって、図示されていなくとも、公知のコンピュータが備える各部を、適宜、好適に具備している事は勿論である。前記各部とは例えば、インターネット等の通信ネットワークに接続する為のモデム等の通信部、キーボード等の入力部、ディスプレイ等の出力部、データを一時記録させるためのメモリ部、データを記録させるためのハードディスク等の記録部、各種演算を実行する為のＣＰＵ等の演算部である。また本発明の各技術において、所定の目的を達成するのであれば、具体的な処理方法は一に限定されない。
【００４０】
また基本的に各実施の形態において、情報提供者より入力されるデータを情報と記載し、情報は基本的に情報内容および情報位置により構成され、また情報を受給する為に情報受給者より入力されるデータを要求と記載し、要求は基本的に要求内容および要求位置により構成される。また一部の実施の形態において、情報と要求の両方がＤＢへ登録可能とされる為、一部の図を説明する際に、入力される情報位置と要求位置とを共通して入力位置と記載し、入力される情報内容と要求内容とを共通して入力内容と記載しており、情報と要求ともＤＢへ登録されれば共通して情報と記載し、具体的に情報内容、情報位置と記載している。
なお請求の範囲において、情報位置および要求位置が空間的なデータである事を示す為に、情報位置を空間的位置と、要求位置を空間的条件と記載している。
【００４１】
まず本発明の第１の実施の形態について説明する。第１図は第１の実施の形態における情報管理システムの構成図、第２図は第１の実施の形態における情報管理システムの要部の処理流れ図、第３図は第１の実施の形態における情報管理システムが備える各種ＤＢおよび図、第４図は第１の実施の形態における情報内容入力画面、第５図は第１の実施の形態における情報位置入力画面、第６図は第１の実施の形態における一覧形式の情報位置出力画面、第７図は第１の実施の形態における地図形式の情報位置出力画面、第８図は第１の実施の形態における位置最適化手段を説明する処理流れ図および中間データファイル、第９図は第１の実施の形態における対話方式のＤＢ最適化手段を含む一連の処理を説明する処理流れ図、第１０図は第１の実施の形態における対話方式のＤＢ最適化手段により更新される単位区分図、単位区分ＤＢおよび情報位置ＤＢ、第１１図は第１の実施の形態における自動方式のＤＢ最適化手段を含む一連の処理を説明する処理流れ図、第１２図は第１の実施の形態における自動方式のＤＢ最適化手段により更新される単位区分図、単位区分ＤＢおよび情報位置ＤＢである。
【００４２】
第１図において、複数の端末装置１が図示されないモデム等の通信部を用いて通信ネットワーク２に接続することで相互に通信可能としている。端末装置１の少なくとも一部が本発明の情報管理装置として稼動している。本発明の情報管理システムは具体的に、情報管理装置がＷＥＢサーバとして動作するクライアント・サーバ型（以下「Ｃ／Ｓ型」とする）またはピアツーピア型（以下「Ｐ２Ｐ型」とする）のネットワークとして実施可能である。Ｐ２Ｐ型は更に、ナップスターに代表されるハイブリッド型とグヌーテラに代表されるピュア型に分類されるが、本発明の情報管理システムはいずれの形態でも実施可能である。
【００４３】
第２図において、ＳＴＡＲＴ１（４１）からＥＮＤ１（４９）までの処理流れは情報提供者との間で対話式になされる一連の情報提供の処理を説明しており、ＳＴＡＲＴ２（５１）からＥＮＤ２（５９）までの処理流れは情報受給者との間で対話式になされる一連の情報受給の処理を説明しており、ＳＴＡＲＴ３（６１）からＥＮＤ３（６５）までの処理流れは情報提供者より入力され情報ＤＢ４に登録された情報と情報受給者より入力され要求ＤＢ５に登録された要求とを照合し情報を出力する一連の処理を説明している。
なお、情報出力手段４８、情報出力手段５８および情報出力手段６４は基本的に同一である。
【００４４】
情報管理システムにおいて、情報提供者が参照ＤＢを参照可能とした情報内容入力画面および参照図を参照可能とした情報位置入力画面に所望の情報を入力すると、情報入力手段４２が入力された情報内容および情報位置を受領し、例えば情報位置が店舗より徒歩３０分圏内と指定されていれば、位置演算手段４３が空間性状図８および空間性状ＤＢ９を参照することで面状の情報位置を演算し、面状の情報位置が入力されていれば、位置最適化手段４４が単位区分図２および単位区分ＤＢ３を参照することで情報位置を複数の単位区分を少なく組合せ表現する。更に、情報提供者からの指図が情報ＤＢ４への登録であれば（４５）、情報ＤＢ登録手段４６が情報内容および最適化した情報位置を情報ＤＢ４へ登録し、一方で情報ＤＢ４への登録でなければ、要求ＤＢ検索手段４７が要求ＤＢを検索し、情報出力手段４８が検索した情報を所定の装置へ出力し、一連の処理を終了する。
【００４５】
情報管理システムにおいて、情報受給者が参照ＤＢを参照可能とした要求内容入力画面および参照図を参照可能とした要求位置入力画面に所望の要求を入力すると、要求入力手段５２が入力された要求内容および要求位置を受領し、例えば要求位置が居所より徒歩３０分圏内と指定されていれば、位置演算手段５３が空間性状図８および空間性状ＤＢ９を参照することで面状の要求位置を演算し、面状の要求位置が入力されていれば、位置最適化手段５４が単位区分図２および単位区分ＤＢ３を参照することで要求位置を複数の単位区分を少なく組合せ表現する。更に、情報受給者からの指図が要求ＤＢ５への登録であれば（５５）、要求ＤＢ登録手段５６が要求内容および最適化した要求位置を要求ＤＢ５へ登録し、一方で要求ＤＢ５への登録でなければ、情報ＤＢ検索手段５７が情報ＤＢを検索し、情報出力手段５８が検索した情報を所定の装置へ出力し、一連の処理を終了する。
【００４６】
情報管理システムにおいて、計時手段６２が所定の時間を計時することで、ＤＢ検索手段６２が情報ＤＢおよび要求ＤＢを照合し、情報出力手段６４が検索した情報を所定の装置へ出力し、一連の処理を終了する。
本処理流れは、図において簡便に記載してあるが、具体的には、図示されない出力計画策定手段が情報を受給可能な状態の端末装置毎に時系列の出力計画を登録する図示されない出力計画ファイルを生成し、該出力計画に従い計時手段６３および情報出力手段６４が動作する。
なお出力計画策定手段は、情報を受給可能な状態の端末装置毎に、要求が更新される度に、情報ＤＢを再検索し出力計画ファイルを更新する。また出力計画策定手段は、情報が更新される度に、要求ＤＢを検索し影響を被る全ての出力計画ファイルを選択し、情報ＤＢを再検索し該出力計画ファイルを更新する。
【００４７】
第３図において、空間を複数の単位区分に分割した単位区分図２および単位区分ＤＢ３と、各利用者に参照可能とした参照図６と、各利用者に参照可能とした参照ＤＢ７と、道路網図等の空間性状図８および各線分の延長、所要時間等が入力された空間性状ＤＢ９と、情報のうち情報位置を登録する情報位置ＤＢ１１および情報内容を登録する情報内容ＤＢ１２と、要求のうち要求位置を登録する要求位置ＤＢ１３および要求内容を登録する要求内容ＤＢ１４とを備えている。前記各ＤＢについて、高速なレコードの検索を可能とする為に適宜インデックスが作成されソートされている。
【００４８】
情報位置ＤＢ１１および情報内容ＤＢ１２が情報ＤＢ４を構成し、要求位置ＤＢ１３および要求内容ＤＢ１４が要求ＤＢ５を構成する。情報位置ＤＢ１１および情報内容ＤＢ１２はそれぞれの情報ＩＤフィールドの値で関連付けられており、情報位置ＤＢ１１は外に単位区分ＤＢ３と関連付けられたｎ個の単位区分レベルフィールドより構成されており、情報内容ＤＢ１２は外に参照ＤＢ７のＫ個のＤＢがそれぞれ関連付けられたｋ個の情報種別フィールドと、テキスト形式で入力可能な付加内容フィールドより構成されている。例えば図において、情報ＩＤ＝６８１０に登録された情報は、その情報位置が情報位置ＤＢ１１において５レコードで構成され、情報内容が情報内容ＤＢ１２において１レコードで構成されている。情報位置ＤＢ１１および要求位置ＤＢ１３について、１の情報位置を１又は２以上のレコードで構成しており、１の情報位置を、±フィールドの値が＋のレコードと−のレコードを組合せ、＋の単位区分と−の単位区分との差分として構成可能としている。要求ＤＢ５、即ち要求位置ＤＢ１３および要求内容ＤＢ１４も前記情報ＤＢ４と同様に構成されている。
【００４９】
参照ＤＢ７は、情報の種別を登録した情報種別ＤＢ、郵便番号一覧を登録した郵便番号ＤＢ、住所一覧を登録した住所ＤＢ、参照図に表示可能とした各アイコンを登録したアイコンＤＢ等、の図示されない各種ＤＢにより構成され、更に、単位区分図２および単位区分ＤＢ３が、空間を面的に複数の単位区分に分割していれば各単位区分に対応する面積が登録された図示されない単位区分別面積ＤＢを、また空間を線的に複数の単位区分に分割していれば各単位区分に対応する延長が登録された図示されない単位区分別延長ＤＢを、含んでいる。また、単位区分毎の面積又は延長を単位区分ＤＢ３にフィールドを設け直接登録しておくことも有効である。
【００５０】
第４図の情報内容入力画面について、情報提供者の要求に基づいて例えば端末装置のディスプレイ部に表示され、提供者名７１、情報内容をリストから選択可能とした種別１（７２）および種別１を更に細分化した種別２（７３）、拠点住所７４、定休日７５、そして特徴７６を入力可能としている。そして、ＯＫボタン７７が選択されれば所望の情報を次の手段へ引き渡し情報位置入力画面を表示し、中止ボタン７８が選択されれば入力された情報を破棄し処理を終了する。
【００５１】
第５図の情報位置入力画面について、情報提供者の要求に基づいて例えば端末装置のディスプレイ部に表示され、郵便番号単位８１、行政区単位８２、所望の半径の円指定８３に加えて、地図ウインドウ８５上でマウス等を用いる選択８４、等の方法で「いびつ」な情報位置を入力可能としている。追加ボタン、中止ボタン、ＯＫボタン８８を用いることで、入力した情報位置をそれぞれ、登録し更なる入力を促し、キャンセルして処理を終了し、また登録して処理を終了する。縮尺項８７で縮尺をリストから選択することで地図ウインドウ８５の縮尺を変更でき、また移動ボタン８６を用いることで地図ウインドウ８５の表示位置を移動できる。
【００５２】
一方で、情報受給者に要求内容および要求位置を入力可能とするそれぞれ要求内容入力画面および要求位置入力画面も情報受給者の要求に基づいて端末装置のディスプレイ部に表示され、情報受給者が所望の要求を入力可能としているが、それぞれ前記第４図の情報内容入力画面および第５図の情報位置入力画面と類似している為に図示を省いた。
【００５３】
第６図の一覧形式の情報出力画面について、情報受給者の要求に基づいて端末装置のディスプレイ部に表示され、一覧ウインドウ９８に情報受給者の要求に基づき自宅周辺、職場周辺、実家周辺、一時的滞在地、等のそれぞれの検索結果を一覧形式で表示でき、該検索結果をタブを選択する事で切り換え表示可能としている。また、検索結果の表示順を、例えば図の様に、訪問介護業者を居所からの距離順（９１）に、洋食出前業者を価格順（９２）に、そしてマッサージ業者を利用者評価順（９３）に、先頭からそれぞれ選択した後に並べ変えボタン９４を選択することで、表示順を該選択順に変更可能としている。また検索結果より所望の情報を選択し、地図表示ボタン９５を選択する事で、該情報を地図上で確認可能としている。また、入力した空間的条件内において、検索結果の分布が偏り過ぎていると判断した場合には、メッセージを表示し、利用者に範囲再選択９７を勧めたり、地図上でその偏り具合を表示可能としている。
【００５４】
第６図の地図表示ボタン９５を選択すると、第７図の地図形式の情報出力画面が表示され、検索結果を、一覧形式で表示１０１し、地図上に認識し易い図式で表示し、地図上で所望の検索結果を選択することで、更に詳細な情報を表示可能としている。また本実施の形態の特徴として、検索結果を地図上で更に空間的に絞り込み可能としている。追加ボタン、中止ボタン、ＯＫボタン１０２を用いることで、更に入力した要求位置をそれぞれ、登録し更なる入力を促し、キャンセルして処理を終了し、また登録して更に検索結果を絞り込む。縮尺項１０４で縮尺をリストから選択することで地図ウインドウ１０５の縮尺を変更でき、また移動ボタン１０３を用いることで地図ウインドウ１０５の表示位置を移動できる。
【００５５】
第８図の位置最適化手段において、単位区分図２、図示されない単位区分ＤＢ、入力位置が入力された入力位置図２１、位置最適化の途中に中間データファイルとして作成される入力位置ＤＢ１〜６（２２〜２７）、および位置最適化された入力位置が保持される入力位置ＤＢ２８を利用する。図において、単位区分図２のｆ層および入力位置図２１を重ね合せ示しており、入力位置を太線で示している。
【００５６】
位置最適化がスタート１１１すると、まず入力位置を加算方式、即ち従来の方式、で位置最適化し結果を入力位置１ＤＢ２２に保持（１１１）し、次に入力位置を、完全に含む最小の単位区分（図においてｆ層の３００番）を用い、減算方式で位置最適化し結果を入力位置２ＤＢ２３に保持（１１３）する。
次に入力位置のうち、境界が単位区分と交わる部分（図においてｆ＋１層の３３０番、３５０番、３７０番および３９０番）を減算方式で位置最適化し結果を入力位置３ＤＢ２４〜入力位置６ＤＢに保持（１１４）し、これをｆ＋１層からｎ−１まで繰り返す。各中間データファイルの相互関係は図の様に表すことが出来る。なお図において、ｆ＋１＝ｎ−１＝２であるから、中間データファイルは入力位置２ＤＢ２３を始めとして３層で終わっているが、単位区分の層数、即ちｎが４以上であれば、中間データファイルの層数も最大でｎとなる。
次に各入力位置ＤＢ、即ち中間データファイル、を照合することで、レコード数を最小とする組合せを演算し結果を入力位置ＤＢ２８に入力（１１５）し、全ての中間データファイルを初期化（１１６）した後に、処理を終了（１１７）する。
【００５７】
なお、情報ＤＢを検索する情報ＤＢ検索手段と、要求ＤＢを検索する要求ＤＢ検索手段について、情報位置ＤＢおよび要求位置ＤＢを検索するために、各レコードを±フィールドの値に基づき、具体的に値が−であれば除外する単位区分と判定する外は、特許文献３および未公開特許１の技術を継承している。
【００５８】
第９図において、ＳＴＡＲＴ１２１からＥＮＤ１３４までの処理流れは、管理者１３６との間で対話方式になされる、単位区分を更新する一連の処理を説明している。該一連の処理において、単位区分図２、単位区分ＤＢ３、情報ＤＢ４および要求ＤＢ５（以下「各図、ＤＢ」と総称する）を利用する。
【００５９】
情報管理システムにおいて、管理者１３６により単位区分の更新が要求される（１２２）と、各図、ＤＢを参照可能とした単位区分更新画面を表示し単位区分の更新を促進（１２３）し、管理者１３６により所望の空間的位置が入力される（１２４）と、該空間的位置を位置最適化した後に単位区分として仮設（１２５）し、仮設した単位区分を用いて情報ＤＢおよび要求ＤＢから削減できるレコード数を試算（１２６）し、削減レコード数を管理者１３６へ通知（１２７）する。管理者１３６が前記削減レコード数に満足（１２８）し、ＯＫボタンが選択され（１２９）れば、仮設した単位区分を正式に新設し各図、ＤＢを更新（１３０）し、単位区分更新が完了した事を通知（１３１）する。一方、管理者１３６が前記削減レコード数に満足（１２８）せず、キャンセルを希望（１３２）しなければ、空間的位置の再入力（１２４）を可能とし（１３５）、一方、キャンセルを希望（１３２）し、キャンセルボタンが選択され（１３３）れば、それまでの演算結果を破棄し一連の処理を終了する。
【００６０】
第１０図において、ＤＢ最適化手段が、単位区分図に、ｆ層３１とｆ＋１層３２との間に新ｆ＋１層３３を設け、旧ｆ＋１層３２以下を新ｆ＋２層以下へとずらし、例えば旧ｆ＋１層３２の単位区分ＸＸ３１〜３５を新ｆ＋２層３２においてＸＸ３１１〜３１５と改名し、新ｆ＋１層３３において、新ｆ＋２層３２の単位区分ＸＸ３１１〜３１３を統合する、単位区分ＸＸ３１０を新設し、同様に単位区分図３においても、ｆ層とｆ＋１との間に新ｆ＋１層を設け、全レコードを更新し、更に情報位置ＤＢ１１および図示されない要求位置ＤＢにおいても、ｆ層とｆ＋１との間に新ｆ＋１層を設け、例えば単位区分ＸＸ３１１〜３１３の３レコードが含まれる情報および要求について１のレコードＸＸ３１０に置換し、残りのレコードも更新する。
【００６１】
第１１図において、ＳＴＡＲＴ１４１からＥＮＤ１５７までの処理流れは、自動方式になされた演算結果を管理者１５８が認証する、単位区分を更新する一連の処理を説明している。該一連の処理において、各図、ＤＢを利用する。
【００６２】
情報管理システムにおいて、所定の時間を計時（１４２）し、各図、ＤＢを参照することで情報ＤＢ４および要求ＤＢ５のレコードを集計（１４３）し、具体的に情報位置ＤＢおよび要求位置のレコードを集計し、例えば各情報位置を全体的または部分的に重み付け等の方法で分析し、密集地域、即ち面積の割に多くのレコードを費やす空間的位置、を抽出（１４４）する。そして密集地域毎（１４８）に、最適解が出る（１４７）まで、即ち最もレコード数を削減できるまで、単位区分を仮設（１４５）し、仮設した単位区分を用いて削減できるレコード数を試算する。そして、推奨する単位区分案および削減できるレコード数を管理者１５８へ通知（１４９）し、管理者１５８が最適案を許可（１５０）し、ＯＫボタンが選択され（１５１）れば、最適案の単位区分を正式に新設し各図、ＤＢを更新（１５４）する。前記案は最適案以外に推奨順に複数の案がリスト形式で表示されており、管理者１５８が最適案を許可（１５０）せず、リストより所望の案が選択されＯＫボタンが選択され（１５３）れば、選択された案の単位区分を正式に新設し各図、ＤＢを更新（１５４）し、一方でいずれの案にも満足せずキャンセルボタンが選択され（１５６）れば、それまでの演算結果を破棄し一連の処理を終了する。
【００６３】
なお、自動方式のＤＢ最適化手段について、単位区分を新設する外に、過去に設けた単位区分の形状を変更するか又は削除する、１の単位区分を複数に分割する、又は複数の単位区分を１に統合する、事も検討し、最適解を導く。
【００６４】
第１２図において、ＤＢ最適化手段が、単位区分図に、ｆ層３４とｆ＋１層３５との間に新ｆ＋１層３６を設け、旧ｆ＋１層３５以下を新ｆ＋２層以下へとずらし、図において新ｆ＋１層３６に３箇所の密集地域を抽出し、それぞれ新設する単位区分案を削減できるレコード数順に上から表示している（３７〜３９）。情報管理システムは、管理者に対して各密集地域について、最適案、即ち最上位に表示した単位区分を推奨するが、残りの案もリスト表示し、管理者に所望の単位区分案を選択可能とする。
【００６５】
次に、本発明の第２の実施の形態について説明する。第１３図は第２の実施の形態における情報管理システムの利用形態を説明する処理流れ図、第１４図は第２の実施の形態における情報管理システムが備える利用者位置ＤＢおよびコンテンツ位置ＤＢである。
【００６６】
第１３図において、情報は映像、楽曲、プログラム等のコンテンツであり、本発明の情報管理システムは該コンテンツを管理するコンテンツ管理システムであり、各種手段を実装した位置認証サーバ１６１と、利用者位置ＤＢ１６３を管理する利用者位置サーバ１６２と、コンテンツ位置ＤＢ１６５を管理するコンテンツ位置サーバ１６４より構成される。利用者位置ＤＢ１６３は、例えば利用者の携帯電話の位置が登録されたロケーションレジスタであり、その場合利用者位置サーバ１６１は携帯電話交換機であり、また利用者位置ＤＢ１６３は予め利用者により居所が登録された居所ＤＢである。コンテンツ位置ＤＢ１６５は、例えば各コンテンツの利用が許可された空間的位置が登録されており、具体的にコンテンツが通信販売ＷＥＢサイトであれば、その空間的位置は通信販売業者が法律等により制限された営業範囲である。
【００６７】
一方、コンテンツ管理装置１６６は、コンテンツを再生等の制御可能な装置であって、例えばコンテンツを配信するＷＥＢサーバ、またはコンテンツを再生する端末装置のいずれも該当する。コンテンツ１７３には固有に識別可能な識別情報１７４が記録されており、例えばワールドワイドウェブ（ＷＷＷ）におけるＵＲＬも該識別情報の１になり得る。一方、識別情報１７２は、コンテンツ制御装置１６６又は利用者１６７に固有の識別情報であり、例えば電話番号、位置認証サーバにより付与された利用者ＩＤ等である。
【００６８】
コンテンツ制御装置１６６において、利用者１６７によりコンテンツの利用が要求される（１７１）と、識別情報１７２および識別情報１７４を位置認証サーバ１６１へ通知し位置認証を要求（１７５）する。そして、位置認証サーバ１６１において、識別情報１７２を利用者位置サーバ１６２へ通知し識別情報１７２に関連付けられた利用者位置を要求した後に取得し、同様に識別情報１７４をコンテンツ位置サーバ１６４へ通知し識別情報１７４に関連づけられたコンテンツ位置を要求した後に取得し、両位置情報を照合（１７６）し、位置認証結果をコンテンツ制御装置１６６へ通知（１７７）する。そして、両位置情報に重複があり前記結果が「認証」であれ（１７８）ば、利用者１６７に対して、例えばコンテンツを再生するなど、コンテンツ１７３の利用要求を許可（１７９）し、一方、前記結果が「不認証」であれ（１７８）ば、コンテンツの利用要求を拒絶（１８０）する。
【００６９】
第１４図において、図示されない利用者位置サーバは利用者ＤＢを構成する、利用者位置ＤＢ１６３および利用者内容ＤＢ１８１を管理し、両ＤＢは情報ＩＤフィールドの値により関連付けられており、情報ＩＤは電子メールアドレスが用いられている。一方、図示されないコンテンツ位置サーバはコンテンツＤＢを構成する、コンテンツ位置ＤＢ１６５およびコンテンツ内容ＤＢ１８２を管理し、両ＤＢは情報ＩＤフィールドの値により関連付けられており、情報ＩＤはＷＥＢサイトのＵＲＬが用いられている。
【００７０】
【発明の効果】
本発明は、以上説明したような形態で実施され、以下に記載されるような効果を奏する。
【００７１】
空間的位置に関連付けて情報を登録可能で、空間的条件を手がかりに前記情報を出力可能とする情報管理装置を提供でき、特に所定の通信ネットワークを介して情報管理装置及び端末装置が接続され情報を入出力可能とする情報管理システムを提供でき、具体的に前記空間的位置と空間的条件の少なくとも一方は空間的にいびつな範囲を指定可能で、ＤＢ検索時間が登録される情報の量にほとんど影響されず、簡便に利用可能で、従来の技術よりも更にＤＢのサイズを削減可能とした情報管理システムを提供できる。
【００７２】
また情報に、一度情報ＤＢから出力されようとも、常に情報ＤＢに登録された空間的位置と関連付けておき、出力された情報が閲覧者によって利用されようとすると、利用者および情報にそれぞれ関連付け情報ＤＢに登録しておいた空間的位置を照合可能とし、該照合の結果に基づいて利用を許可又は拒絶可能にできる。
【図面の簡単な説明】
【図１】第１の実施の形態における情報管理システムの構成図である。
【図２】第１の実施の形態における情報管理システムの要部の処理流れ図である。
【図３】第１の実施の形態における情報管理システムが備える各種ＤＢおよび図である。
【図４】第１の実施の形態における情報内容入力画面である。
【図５】第１の実施の形態における情報位置入力画面である。
【図６】第１の実施の形態における一覧形式の情報位置出力画面である。
【図７】第１の実施の形態における地図形式の情報位置出力画面である。
【図８】第１の実施の形態における位置最適化手段を説明する処理流れ図および中間データファイルである。
【図９】第１の実施の形態における対話方式のＤＢ最適化手段を含む一連の処理を説明する処理流れ図である。
【図１０】第１の実施の形態における対話方式のＤＢ最適化手段により更新される単位区分図、単位区分ＤＢおよび情報位置ＤＢである。
【図１１】第１の実施の形態における自動方式のＤＢ最適化手段を含む一連の処理を説明する処理流れ図である。
【図１２】第１の実施の形態における自動方式のＤＢ最適化手段により更新される単位区分図、単位区分ＤＢおよび情報位置ＤＢである。
【図１３】第２の実施の形態における情報管理システムの利用形態を説明する処理流れ図である。
【図１４】第２の実施の形態における情報管理システムが備える利用者位置ＤＢおよびコンテンツ位置ＤＢである。
【図１５】従来の技術と本発明の技術とを対比して説明するグラフであり、位置情報を含む各種情報をＤＢに登録した場合の情報数とレコード数との関係を示すグラフである。
【図１】
2004133828.tif 000003
【図２】
2004133828.tif 000004
【図３】
2004133828.tif 000005
【図４】
2004133828.tif 000006
【図５】
2004133828.tif 000007
【図６】
2004133828.tif 000008
【図７】
2004133828.tif 000009
【図８】
2004133828.tif 000010
【図９】
2004133828.tif 000011
【図１０】
2004133828.tif 000012
【図１１】
2004133828.tif 000013
【図１２】
2004133828.tif 000014
【図１３】
2004133828.tif 000015
【図１４】
2004133828.tif 000016
【図１５】
2004133828.tif 000017
【手続補正書】
【提出日】平成14年10月15日(2002.10.15)
【手続補正１】
【補正対象書類名】明細書
【補正対象項目名】全文
【補正方法】変更
【補正の内容】
【特許請求の範囲】
【請求項１】所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報と要求の少なくとも一方（以下「情報／要求」と記載する）をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置と空間的条件の少なくとも一方（以下「空間的位置／空間的条件」と記載する）が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理システム。
【請求項２】情報をＤＢへ登録可能で情報をＤＢより出力可能とする情報管理装置であって、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理装置。
【請求項３】情報をＤＢへ登録し情報をＤＢより出力する情報管理方法であって、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録するＤＢ登録段階と、要求と情報とを照合するＤＢ検索段階と、ＤＢ検索手段により選択した情報を情報受給者へ出力する情報出力段階と、空間的位置／空間的条件が入力されると、空間的位置／空間的条件を、データサイズをより小さくするよう前記単位区分を選択し表現する位置最適化段階を備え、前記位置最適化段階は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択する事を特徴とする情報管理方法。
【請求項４】コンピュータのＤＢに情報を登録可能で登録された情報を選択可能とするための情報管理プログラムであって、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段として機能させ、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理プログラム。
【請求項５】所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備える事を特徴とする情報管理システム。
【請求項６】情報をＤＢへ登録可能で情報をＤＢより出力可能とする情報管理装置であって、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備える事を特徴とする情報管理装置。
【請求項７】情報をＤＢへ登録し情報をＤＢより出力する情報管理方法であって、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録可能とするＤＢ登録段階と、要求と情報とを照合するＤＢ検索段階と、ＤＢ検索段階により選択した情報を情報受給者へ出力する情報出力段階と、空間的位置／空間的条件が入力されると前記単位区分をより少なく組合せデータサイズを小さくする位置最適化段階を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化段階を備える事を特徴とする情報管理方法。
【請求項８】コンピュータのＤＢに情報を登録可能で登録された情報を選択可能とするための情報管理プログラムであって、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段として機能させ、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段として機能させるための情報管理プログラム。
【発明の詳細な説明】
【０００１】
【発明の属する技術分野】
本発明は、空間的位置に関連付けて情報を登録可能で、空間的条件を手がかりに前記情報を出力可能な情報管理装置に関し、特に所定の通信ネットワークを介して情報管理装置及び端末装置が接続され情報を入出力可能とされる情報管理システムに関する。
【０００２】
【従来の技術】
本明細書において、データベースをＤＢと略し、特に説明がない限り、基本的にＤＢはテキスト形式のデータベースを示し、代表的な製品としてはオラクルが知られている。一方、前記テキスト形式のＤＢに対して、ベクトル形式の地図データベースを単に「図」とした。また本明細書の一部において、情報提供者は情報提供者が操作する端末装置、情報受給者は情報受給者が操作する端末装置を示している。
【０００３】
従来、地理情報システム（以下「ＧＩＳ」という）をインターネットを介して公開することで、空間的位置に関連付けて各種情報を登録可能な情報管理システム（例えば、特許文献１参照。）、および空間的条件を手がかりに前記情報の少なくとも一部を出力可能な情報管理システム（例えば、特許文献２参照。）は既に知られている。
【０００４】
前記情報管理システムは、インターネット上にＷＥＢサイトとして実施可能とし、広告主と被広告者との間での各種広告を可能とし、広告主、即ち情報提供者は空間的位置として点情報（店舗等）を登録可能であって、被広告者、即ち情報受給者は空間的条件として行政界、郵便番号等の単純な範囲を指定可能で該範囲内の各種情報を受給可能とする。前記情報管理システムは、情報提供者に対して、空間上の一点に関連付けて各種情報を登録可能としているが、空間的に所望の範囲に関連付けて情報を登録可能とはされていない。また、情報受給者に対して、住所、郵便番号を指定するか又は所望の矩形を指定する等の単純な空間的条件でしか情報を受給できない。
【０００５】
そこで本発明の出願人は、前記問題点を鑑み、先に特許を出願した（特許文献３参照。）。該特許文献３において、前記空間的位置と空間的条件の少なくとも一方は空間的にいびつな範囲を指定可能で、ＤＢ検索時間が登録される情報の量にほとんど影響されず、簡便に利用可能な情報管理システムを提供する事を可能とした。
また本発明の出願人は、更に該特許文献３の技術に改善を施した特許（特願２００２―０８９７４５、以下「未公開特許１」という）を出願している。該未公開特許１の情報管理システムにおいて、稼動状況を多角的に監視する事で、利便性を向上できた。
【０００６】
ところで、全国的にチェーン展開している宅配ピザ屋の出前情報を登録する事を仮定する。まず例えば、Ａ町１丁目、同２丁目、の様に丁目単位を１レコードとすれば、１店舗当りの出前範囲は概ね２００〜３００レコードで表現できる。しかし、これでは１の宅配ピザ屋チェーンだけで１０万レコード以上を占め、実用的とは言えない。次に、特許文献３の技術を用いると、１店舗当りの出前範囲は概ね７０〜１００レコードで表現でき、ＤＢのサイズを概ね１／３に削減できる。しかし、これでも１の宅配ピザ屋チェーンだけで３万レコード以上を占める。
【０００７】
そこで、更にＤＢのサイズを削減できる技術が求められる。第１５図は、登録される情報量２０１を横軸に、使用されるレコード数２０２を縦軸にとり、情報量とレコード数の関係を示している。求められる技術は、特許文献３の技術を用いた場合のレコード数の伸び２０３に対して大きく削減したレコード数の伸び２０４を可能とする技術１（２０５）と、レコード数が所定数を超えると実施しレコード数の伸び２０６に削減可能とする技術２（２０７）である。
【０００８】
また、特許文献３において、情報ＤＢを検索する事で所望の情報を出力可能としたが、一度出力された情報は情報ＤＢとの関連付けが断たれてしまう。しかし例えば、情報が販売店の広告情報であって、情報ＤＢに該販売店が自治体から許可された営業範囲情報が登録されていれば、広告情報は、一度情報ＤＢから出力されようとも、常に情報ＤＢに登録された営業範囲情報と関連付けられ、出力された広告情報が閲覧される度に閲覧者の空間的位置と広告情報の営業範囲とが照合される事が望ましい。
【０００９】
【特許文献１】
特許第２７５６４８３号公報（第４−５頁、第３−４図）
【特許文献２】
特許第３０１１０９８号公報（第２−５頁、第２−５図）
【特許文献３】
特許第３３０２９８６号公報（第１２頁、第９−１０図）
【００１０】
【発明が解決しようとする課題】
本発明は、空間的位置に関連付けて情報を登録可能で、空間的条件を手がかりに前記情報を出力可能とする情報管理装置を提供する事を目的とし、特に所定の通信ネットワークを介して情報管理装置及び端末装置が接続され情報を入出力可能とする情報管理システムを提供する事を目的とし、具体的に前記空間的位置と空間的条件の少なくとも一方は空間的にいびつな範囲を指定可能で、ＤＢ検索時間が登録される情報の量にほとんど影響されず、簡便に利用可能で、従来の技術よりも更にＤＢのサイズを削減可能とした情報管理システムを提供する事を目的とする。
【００１１】
また本発明は、情報に、一度情報ＤＢから出力されようとも、常に情報ＤＢに登録された空間的位置と関連付けておき、出力された情報が閲覧者によって利用されようとすると、利用者および情報にそれぞれ関連付け情報ＤＢに登録しておいた空間的位置を照合可能とし、該照合の結果に基づいて利用を許可又は拒絶可能とする事を目的とする。
【００１２】
【課題を解決するための手段】
まず、上記目的を達成するために、所定の通信ネットワークを介してホストに接続されたＤＢへ端末装置より情報を登録可能とし、ＤＢより端末装置へ情報を出力可能とする情報管理システムにおいて、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報と要求の少なくとも一方（以下「情報／要求」と記載する）をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置と空間的条件の少なくとも一方（以下「空間的位置／空間的条件」と記載する）が入力されると、空間的位置／空間的条件を、データサイズをより小さくするよう前記単位区分を選択し表現する位置最適化手段を備えている。
【００１３】
そして前記情報管理システムにおいて、前記技術１として、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能としている。
【００１４】
なお、前記減算方式とは、例えば「東京の２３区のうち渋谷区を除く全域」を表現するために、特許文献３において開示した従来の方式、即ち加算方式では２３−１＝２２レコードを費やすのに対して、「２３区―渋谷区」＝２レコードで表現する方法であり、場合によっては大幅にレコード数を削減できる技術である。本発明の位置最適化手段は、加算方式および減算方式を施し、各演算結果から１又は２以上を組合せ、データサイズをより小さくするよう単位区分を選択し表現可能としている。
【００１５】
インターネット上の一部の著名なポータルサイトにおいて、利用者に対して例えば「日本の大学―Ｎ大学文学部」という条件式を指定可能としており、日本の全大学を「大学」項を大分類、「学部」を中分類として分類し登録しておいたＤＢから、Ｎ大学の文学部を除く全ての日本の大学の情報を出力するかに思われる。しかし実際には、前記ポータルサイトにおいて、前記条件式内の「Ｎ大学文学部」を１の文字の塊と認識している以外に、上位から「日本の大学」、「Ｎ大学」、「文学部」の順に分類し識別しているとは考えられず、空間的位置を多階層で分類した単位区分を少なく組合せ表現する、本発明の技術とは異なる。
【００１６】
ところで、日本は、４７の都道府県そして約３，２００の市町村に分割され自治されており、１の都道府県当り約６８の市町村に分割されている。例えば、１の県内の３５市町村に渡る、ある宅配業者の営業範囲を表現する為に、前記加算方式では３５レコードを費やし、前記減算方式では３４レコードを費やし、いずれの方式を用いても大幅にレコード数を削減できない。この問題点は、▲１▼１の県内の市町村数が多い点、▲２▼市町村階層の中には、各単位区分が、中心地の様に小さく密集している箇所とへき地の様に大きくされている箇所とが共に存在している点、に起因している。しかし、予め密集している複数の市町村、即ち単位区分、をグループ化しようにも最適な基準が不明確である。
【００１７】
そこで前記情報管理システムにおいて、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備えている。
【００１８】
なお前記所定の条件は例えば、空間的位置／空間的条件が登録されたＤＢが所定のサイズを超える事、空間的位置の少なくとも一部が重複する情報が所定の数を超える事、また、所定の時間が経過する事、等である。
前記ＤＢ最適化手段は、所定の条件を満たすことで、多くの登録された情報位置に一様に含まれる複数の単位区分をグループ化するものであり、ＤＢに蓄積される情報位置に応じて柔軟にかつ実用的にグループ化するものである。
【００１９】
また前記ＤＢ最適化手段は、一度新設した単位区分であっても、後に情報位置が追加されたＤＢの分析結果に応じて、該グループを拡大または縮小したり、また複数のグループを統合したり、１のグループを分割したり、また削除可能としている。
【００２０】
ところで本発明の出願人は、特許文献１の［００８４］〜［００８５］項および第３０、３１図において、単位区分を分割または統合する技術を開示た。しかし該技術は、県、市町村等の、明確な規則、慣習に基づいて予め分割しておいた単位区分を、例えば道路の新設、廃止等の、明確な規則、慣習に基づいて、分割または統合可能とした技術であるのに対して、本発明のＤＢ最適化手段は、単位区分を、ＤＢに登録された情報に基づいて、柔軟かつ最適に新設、分割または統合可能とする技術である。
なお、単位区分図、単位区分ＤＢ、情報位置ＤＢおよび要求位置ＤＢについて、新設する単位区分の為の階層を予め設けておいても、必要に応じて階層を新設するのであっても構わない。
【００２１】
また前記情報管理システムにおいて、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００２２】
また、情報をＤＢへ登録可能で情報をＤＢより出力可能とする情報管理装置において、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段を備えている。
【００２３】
そして前記情報管理システムにおいて、前記技術１として、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能としている。
【００２４】
また前記情報管理システムにおいて、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備えている。
【００２５】
また前記情報管理システムにおいて、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００２６】
また、情報をＤＢへ登録し情報をＤＢより出力する情報管理方法において、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録するＤＢ登録段階と、要求と情報とを照合するＤＢ検索段階と、ＤＢ検索手段により選択した情報を情報受給者へ出力する情報出力段階と、空間的位置／空間的条件が入力されると、空間的位置／空間的条件を、データサイズをより小さくするよう前記単位区分を選択し表現する位置最適化段階を備えている。
【００２７】
そして前記情報管理方法において、前記技術１として、前記位置最適化段階は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択する。
【００２８】
また前記情報管理方法において、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化段階を備えている。
【００２９】
また前記情報管理方法において、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００３０】
また、コンピュータのＤＢに情報を登録可能で登録された情報を選択可能とするための情報管理プログラムにおいて、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段として機能させる。
【００３１】
そして前記情報管理プログラムにおいて、前記技術１として、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能としている。
【００３２】
また前記情報管理プログラムにおいて、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段として機能させる。
【００３３】
また前記情報管理プログラムにおいて、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。
【００３４】
なお前記単位区分について、例えば、土地又は海洋をそれぞれ市単位、丁目単位、番地単位の単位区分に分割した二以上の地図レイヤ（層）より構成された単位区分図及び単位区分ＤＢを用意しておく。番地単位の複数の単位区分を組合せる事で丁目単位の一の単位区分を表現でき、丁目単位の複数の単位区分を組合せる事で市単位の一の単位区分を表現できる。
【００３５】
また前記位置最適化手段又は位置最適化段階について、具体的には情報位置／要求位置が入力されると、一の市が含まれていれば一のレコードで表現し、更に一の丁目が含まれていれば一のレコードで表現し、更に一の番地が含まれていれば一のレコードで表現し（加算方式）、また情報位置／要求位置を含みより大きい単位区分（Ａ）とその差分（Ｂ）よりＡ−Ｂとして表現し（減算方式）、データサイズを最少に出来る組合せを選択可能とする。
また前記位置最適化手段又は位置最適化段階において、情報位置／要求位置を厳密に一致させて最適化できない場合には、例えば面積計で数％以内の誤差を許容し近似して最適化を施す。また、情報位置／要求位置を表現するレコード数を最大でｎに制限しておき、厳密に一致可能であったとしても、レコード数をｎ以内に抑えるために近似して最適化を施す。
【００３６】
なお本発明の情報管理システム、情報管理装置そして情報管理プログラムが備える外の各手段および各語句、そして情報管理方法が備える外の各段階および各語句について、特許文献３および未公開特許１に開示してあり、本明細書において省略した。
【００３７】
【発明の実施の形態】
以下、本発明の実施の形態について図面を参照しながら詳細に説明する。なお、各実施の形態において図示された各装置は、本発明の要部を説明したものであって、図示されていなくとも、公知のコンピュータが備える各部を、適宜、好適に具備している事は勿論である。前記各部とは例えば、インターネット等の通信ネットワークに接続する為のモデム等の通信部、キーボード等の入力部、ディスプレイ等の出力部、データを一時記録させるためのメモリ部、データを記録させるためのハードディスク等の記録部、各種演算を実行する為のＣＰＵ等の演算部である。また本発明の各技術において、所定の目的を達成するのであれば、具体的な処理方法は一に限定されない。
【００３８】
また基本的に各実施の形態において、情報提供者より入力されるデータを情報と記載し、情報は基本的に情報内容および情報位置により構成され、また情報を受給する為に情報受給者より入力されるデータを要求と記載し、要求は基本的に要求内容および要求位置により構成される。また一部の実施の形態において、情報と要求の両方がＤＢへ登録可能とされる為、一部の図を説明する際に、入力される情報位置と要求位置とを共通して入力位置と記載し、入力される情報内容と要求内容とを共通して入力内容と記載しており、情報と要求ともＤＢへ登録されれば共通して情報と記載し、具体的に情報内容、情報位置と記載している。
なお請求の範囲において、情報位置および要求位置が空間的なデータである事を示す為に、情報位置を空間的位置と、要求位置を空間的条件と記載している。
【００３９】
まず本発明の第１の実施の形態について説明する。第１図は第１の実施の形態における情報管理システムの構成図、第２図は第１の実施の形態における情報管理システムの要部の処理流れ図、第３図は第１の実施の形態における情報管理システムが備える各種ＤＢおよび図、第４図は第１の実施の形態における情報内容入力画面、第５図は第１の実施の形態における情報位置入力画面、第６図は第１の実施の形態における一覧形式の情報位置出力画面、第７図は第１の実施の形態における地図形式の情報位置出力画面、第８図は第１の実施の形態における位置最適化手段を説明する処理流れ図および中間データファイル、第９図は第１の実施の形態における対話方式のＤＢ最適化手段を含む一連の処理を説明する処理流れ図、第１０図は第１の実施の形態における対話方式のＤＢ最適化手段により更新される単位区分図、単位区分ＤＢおよび情報位置ＤＢ、第１１図は第１の実施の形態における自動方式のＤＢ最適化手段を含む一連の処理を説明する処理流れ図、第１２図は第１の実施の形態における自動方式のＤＢ最適化手段により更新される単位区分図、単位区分ＤＢおよび情報位置ＤＢである。
【００４０】
第１図において、複数の端末装置１が図示されないモデム等の通信部を用いて通信ネットワーク２に接続することで相互に通信可能としている。端末装置１の少なくとも一部が本発明の情報管理装置として稼動している。本発明の情報管理システムは具体的に、情報管理装置がＷＥＢサーバとして動作するクライアント・サーバ型（以下「Ｃ／Ｓ型」とする）またはピアツーピア型（以下「Ｐ２Ｐ型」とする）のネットワークとして実施可能である。Ｐ２Ｐ型は更に、ナップスターに代表されるハイブリッド型とグヌーテラに代表されるピュア型に分類されるが、本発明の情報管理システムはいずれの形態でも実施可能である。
【００４１】
第２図において、ＳＴＡＲＴ１（４１）からＥＮＤ１（４９）までの処理流れは情報提供者との間で対話式になされる一連の情報提供の処理を説明しており、ＳＴＡＲＴ２（５１）からＥＮＤ２（５９）までの処理流れは情報受給者との間で対話式になされる一連の情報受給の処理を説明しており、ＳＴＡＲＴ３（６１）からＥＮＤ３（６５）までの処理流れは情報提供者より入力され情報ＤＢ４に登録された情報と情報受給者より入力され要求ＤＢ５に登録された要求とを照合し情報を出力する一連の処理を説明している。
なお、情報出力手段４８、情報出力手段５８および情報出力手段６４は基本的に同一である。
【００４２】
情報管理システムにおいて、情報提供者が参照ＤＢを参照可能とした情報内容入力画面および参照図を参照可能とした情報位置入力画面に所望の情報を入力すると、情報入力手段４２が入力された情報内容および情報位置を受領し、例えば情報位置が店舗より徒歩３０分圏内と指定されていれば、位置演算手段４３が空間性状図８および空間性状ＤＢ９を参照することで面状の情報位置を演算し、面状の情報位置が入力されていれば、位置最適化手段４４が単位区分図２および単位区分ＤＢ３を参照することで情報位置を複数の単位区分を少なく組合せ表現する。更に、情報提供者からの指図が情報ＤＢ４への登録であれば（４５）、情報ＤＢ登録手段４６が情報内容および最適化した情報位置を情報ＤＢ４へ登録し、一方で情報ＤＢ４への登録でなければ、要求ＤＢ検索手段４７が要求ＤＢを検索し、情報出力手段４８が検索した情報を所定の装置へ出力し、一連の処理を終了する。
【００４３】
情報管理システムにおいて、情報受給者が参照ＤＢを参照可能とした要求内容入力画面および参照図を参照可能とした要求位置入力画面に所望の要求を入力すると、要求入力手段５２が入力された要求内容および要求位置を受領し、例えば要求位置が居所より徒歩３０分圏内と指定されていれば、位置演算手段５３が空間性状図８および空間性状ＤＢ９を参照することで面状の要求位置を演算し、面状の要求位置が入力されていれば、位置最適化手段５４が単位区分図２および単位区分ＤＢ３を参照することで要求位置を複数の単位区分を少なく組合せ表現する。更に、情報受給者からの指図が要求ＤＢ５への登録であれば（５５）、要求ＤＢ登録手段５６が要求内容および最適化した要求位置を要求ＤＢ５へ登録し、一方で要求ＤＢ５への登録でなければ、情報ＤＢ検索手段５７が情報ＤＢを検索し、情報出力手段５８が検索した情報を所定の装置へ出力し、一連の処理を終了する。
【００４４】
情報管理システムにおいて、計時手段６２が所定の時間を計時することで、ＤＢ検索手段６２が情報ＤＢおよび要求ＤＢを照合し、情報出力手段６４が検索した情報を所定の装置へ出力し、一連の処理を終了する。
本処理流れは、図において簡便に記載してあるが、具体的には、図示されない出力計画策定手段が情報を受給可能な状態の端末装置毎に時系列の出力計画を登録する図示されない出力計画ファイルを生成し、該出力計画に従い計時手段６３および情報出力手段６４が動作する。
なお出力計画策定手段は、情報を受給可能な状態の端末装置毎に、要求が更新される度に、情報ＤＢを再検索し出力計画ファイルを更新する。また出力計画策定手段は、情報が更新される度に、要求ＤＢを検索し影響を被る全ての出力計画ファイルを選択し、情報ＤＢを再検索し該出力計画ファイルを更新する。
【００４５】
第３図において、空間を複数の単位区分に分割した単位区分図２および単位区分ＤＢ３と、各利用者に参照可能とした参照図６と、各利用者に参照可能とした参照ＤＢ７と、道路網図等の空間性状図８および各線分の延長、所要時間等が入力された空間性状ＤＢ９と、情報のうち情報位置を登録する情報位置ＤＢ１１および情報内容を登録する情報内容ＤＢ１２と、要求のうち要求位置を登録する要求位置ＤＢ１３および要求内容を登録する要求内容ＤＢ１４とを備えている。前記各ＤＢについて、高速なレコードの検索を可能とする為に適宜インデックスが作成されソートされている。
【００４６】
情報位置ＤＢ１１および情報内容ＤＢ１２が情報ＤＢ４を構成し、要求位置ＤＢ１３および要求内容ＤＢ１４が要求ＤＢ５を構成する。情報位置ＤＢ１１および情報内容ＤＢ１２はそれぞれの情報ＩＤフィールドの値で関連付けられており、情報位置ＤＢ１１は外に単位区分ＤＢ３と関連付けられたｎ個の単位区分レベルフィールドより構成されており、情報内容ＤＢ１２は外に参照ＤＢ７のＫ個のＤＢがそれぞれ関連付けられたｋ個の情報種別フィールドと、テキスト形式で入力可能な付加内容フィールドより構成されている。例えば図において、情報ＩＤ＝６８１０に登録された情報は、その情報位置が情報位置ＤＢ１１において５レコードで構成され、情報内容が情報内容ＤＢ１２において１レコードで構成されている。情報位置ＤＢ１１および要求位置ＤＢ１３について、１の情報位置を１又は２以上のレコードで構成しており、１の情報位置を、±フィールドの値が＋のレコードと−のレコードを組合せ、＋の単位区分と−の単位区分との差分として構成可能としている。要求ＤＢ５、即ち要求位置ＤＢ１３および要求内容ＤＢ１４も前記情報ＤＢ４と同様に構成されている。
【００４７】
参照ＤＢ７は、情報の種別を登録した情報種別ＤＢ、郵便番号一覧を登録した郵便番号ＤＢ、住所一覧を登録した住所ＤＢ、参照図に表示可能とした各アイコンを登録したアイコンＤＢ等、の図示されない各種ＤＢにより構成され、更に、単位区分図２および単位区分ＤＢ３が、空間を面的に複数の単位区分に分割していれば各単位区分に対応する面積が登録された図示されない単位区分別面積ＤＢを、また空間を線的に複数の単位区分に分割していれば各単位区分に対応する延長が登録された図示されない単位区分別延長ＤＢを、含んでいる。また、単位区分毎の面積又は延長を単位区分ＤＢ３にフィールドを設け直接登録しておくことも有効である。
【００４８】
第４図の情報内容入力画面について、情報提供者の要求に基づいて例えば端末装置のディスプレイ部に表示され、提供者名７１、情報内容をリストから選択可能とした種別１（７２）および種別１を更に細分化した種別２（７３）、拠点住所７４、定休日７５、そして特徴７６を入力可能としている。そして、ＯＫボタン７７が選択されれば所望の情報を次の手段へ引き渡し情報位置入力画面を表示し、中止ボタン７８が選択されれば入力された情報を破棄し処理を終了する。
【００４９】
第５図の情報位置入力画面について、情報提供者の要求に基づいて例えば端末装置のディスプレイ部に表示され、郵便番号単位８１、行政区単位８２、所望の半径の円指定８３に加えて、地図ウインドウ８５上でマウス等を用いる選択８４、等の方法で「いびつ」な情報位置を入力可能としている。追加ボタン、中止ボタン、ＯＫボタン８８を用いることで、入力した情報位置をそれぞれ、登録し更なる入力を促し、キャンセルして処理を終了し、また登録して処理を終了する。縮尺項８７で縮尺をリストから選択することで地図ウインドウ８５の縮尺を変更でき、また移動ボタン８６を用いることで地図ウインドウ８５の表示位置を移動できる。
【００５０】
一方で、情報受給者に要求内容および要求位置を入力可能とするそれぞれ要求内容入力画面および要求位置入力画面も情報受給者の要求に基づいて端末装置のディスプレイ部に表示され、情報受給者が所望の要求を入力可能としているが、それぞれ前記第４図の情報内容入力画面および第５図の情報位置入力画面と類似している為に図示を省いた。
【００５１】
第６図の一覧形式の情報出力画面について、情報受給者の要求に基づいて端末装置のディスプレイ部に表示され、一覧ウインドウ９８に情報受給者の要求に基づき自宅周辺、職場周辺、実家周辺、一時的滞在地、等のそれぞれの検索結果を一覧形式で表示でき、該検索結果をタブを選択する事で切り換え表示可能としている。また、検索結果の表示順を、例えば図の様に、訪問介護業者を居所からの距離順（９１）に、洋食出前業者を価格順（９２）に、そしてマッサージ業者を利用者評価順（９３）に、先頭からそれぞれ選択した後に並べ変えボタン９４を選択することで、表示順を該選択順に変更可能としている。また検索結果より所望の情報を選択し、地図表示ボタン９５を選択する事で、該情報を地図上で確認可能としている。また、入力した空間的条件内において、検索結果の分布が偏り過ぎていると判断した場合には、メッセージを表示し、利用者に範囲再選択９７を勧めたり、地図上でその偏り具合を表示可能としている。
【００５２】
第６図の地図表示ボタン９５を選択すると、第７図の地図形式の情報出力画面が表示され、検索結果を、一覧形式で表示１０１し、地図上に認識し易い図式で表示し、地図上で所望の検索結果を選択することで、更に詳細な情報を表示可能としている。また本実施の形態の特徴として、検索結果を地図上で更に空間的に絞り込み可能としている。追加ボタン、中止ボタン、ＯＫボタン１０２を用いることで、更に入力した要求位置をそれぞれ、登録し更なる入力を促し、キャンセルして処理を終了し、また登録して更に検索結果を絞り込む。縮尺項１０４で縮尺をリストから選択することで地図ウインドウ１０５の縮尺を変更でき、また移動ボタン１０３を用いることで地図ウインドウ１０５の表示位置を移動できる。
【００５３】
第８図の位置最適化手段において、単位区分図２、図示されない単位区分ＤＢ、入力位置が入力された入力位置図２１、位置最適化の途中に中間データファイルとして作成される入力位置ＤＢ１〜６（２２〜２７）、および位置最適化された入力位置が保持される入力位置ＤＢ２８を利用する。図において、単位区分図２のｆ層および入力位置図２１を重ね合せ示しており、入力位置を太線で示している。
【００５４】
位置最適化がスタート１１１すると、まず入力位置を加算方式、即ち従来の方式、で位置最適化し結果を入力位置１ＤＢ２２に保持（１１１）し、次に入力位置を、完全に含む最小の単位区分（図においてｆ層の３００番）を用い、減算方式で位置最適化し結果を入力位置２ＤＢ２３に保持（１１３）する。
次に入力位置のうち、境界が単位区分と交わる部分（図においてｆ＋１層の３３０番、３５０番、３７０番および３９０番）を減算方式で位置最適化し結果を入力位置３ＤＢ２４〜入力位置６ＤＢに保持（１１４）し、これをｆ＋１層からｎ−１まで繰り返す。各中間データファイルの相互関係は図の様に表すことが出来る。なお図において、ｆ＋１＝ｎ−１＝２であるから、中間データファイルは入力位置２ＤＢ２３を始めとして３層で終わっているが、単位区分の層数、即ちｎが４以上であれば、中間データファイルの層数も最大でｎとなる。
次に各入力位置ＤＢ、即ち中間データファイル、を照合することで、レコード数を最小とする組合せを演算し結果を入力位置ＤＢ２８に入力（１１５）し、全ての中間データファイルを初期化（１１６）した後に、処理を終了（１１７）する。
【００５５】
なお、情報ＤＢを検索する情報ＤＢ検索手段と、要求ＤＢを検索する要求ＤＢ検索手段について、情報位置ＤＢおよび要求位置ＤＢを検索するために、各レコードを±フィールドの値に基づき、具体的に値が−であれば除外する単位区分と判定する外は、特許文献３および未公開特許１の技術を継承している。
【００５６】
第９図において、ＳＴＡＲＴ１２１からＥＮＤ１３４までの処理流れは、管理者１３６との間で対話方式になされる、単位区分を更新する一連の処理を説明している。該一連の処理において、単位区分図２、単位区分ＤＢ３、情報ＤＢ４および要求ＤＢ５（以下「各図、ＤＢ」と総称する）を利用する。
【００５７】
情報管理システムにおいて、管理者１３６により単位区分の更新が要求される（１２２）と、各図、ＤＢを参照可能とした単位区分更新画面を表示し単位区分の更新を促進（１２３）し、管理者１３６により所望の空間的位置が入力される（１２４）と、該空間的位置を位置最適化した後に単位区分として仮設（１２５）し、仮設した単位区分を用いて情報ＤＢおよび要求ＤＢから削減できるレコード数を試算（１２６）し、削減レコード数を管理者１３６へ通知（１２７）する。管理者１３６が前記削減レコード数に満足（１２８）し、ＯＫボタンが選択され（１２９）れば、仮設した単位区分を正式に新設し各図、ＤＢを更新（１３０）し、単位区分更新が完了した事を通知（１３１）する。一方、管理者１３６が前記削減レコード数に満足（１２８）せず、キャンセルを希望（１３２）しなければ、空間的位置の再入力（１２４）を可能とし（１３５）、一方、キャンセルを希望（１３２）し、キャンセルボタンが選択され（１３３）れば、それまでの演算結果を破棄し一連の処理を終了する。
【００５８】
第１０図において、ＤＢ最適化手段が、単位区分図に、ｆ層３１とｆ＋１層３２との間に新ｆ＋１層３３を設け、旧ｆ＋１層３２以下を新ｆ＋２層以下へとずらし、例えば旧ｆ＋１層３２の単位区分ＸＸ３１〜３５を新ｆ＋２層３２においてＸＸ３１１〜３１５と改名し、新ｆ＋１層３３において、新ｆ＋２層３２の単位区分ＸＸ３１１〜３１３を統合する、単位区分ＸＸ３１０を新設し、同様に単位区分図３においても、ｆ層とｆ＋１との間に新ｆ＋１層を設け、全レコードを更新し、更に情報位置ＤＢ１１および図示されない要求位置ＤＢにおいても、ｆ層とｆ＋１との間に新ｆ＋１層を設け、例えば単位区分ＸＸ３１１〜３１３の３レコードが含まれる情報および要求について１のレコードＸＸ３１０に置換し、残りのレコードも更新する。
【００５９】
第１１図において、ＳＴＡＲＴ１４１からＥＮＤ１５７までの処理流れは、自動方式になされた演算結果を管理者１５８が認証する、単位区分を更新する一連の処理を説明している。該一連の処理において、各図、ＤＢを利用する。
【００６０】
情報管理システムにおいて、所定の時間を計時（１４２）し、各図、ＤＢを参照することで情報ＤＢ４および要求ＤＢ５のレコードを集計（１４３）し、具体的に情報位置ＤＢおよび要求位置のレコードを集計し、例えば各情報位置を全体的または部分的に重み付け等の方法で分析し、密集地域、即ち面積の割に多くのレコードを費やす空間的位置、を抽出（１４４）する。そして密集地域毎（１４８）に、最適解が出る（１４７）まで、即ち最もレコード数を削減できるまで、単位区分を仮設（１４５）し、仮設した単位区分を用いて削減できるレコード数を試算する。そして、推奨する単位区分案および削減できるレコード数を管理者１５８へ通知（１４９）し、管理者１５８が最適案を許可（１５０）し、ＯＫボタンが選択され（１５１）れば、最適案の単位区分を正式に新設し各図、ＤＢを更新（１５４）する。前記案は最適案以外に推奨順に複数の案がリスト形式で表示されており、管理者１５８が最適案を許可（１５０）せず、リストより所望の案が選択されＯＫボタンが選択され（１５３）れば、選択された案の単位区分を正式に新設し各図、ＤＢを更新（１５４）し、一方でいずれの案にも満足せずキャンセルボタンが選択され（１５６）れば、それまでの演算結果を破棄し一連の処理を終了する。
【００６１】
なお、自動方式のＤＢ最適化手段について、単位区分を新設する外に、過去に設けた単位区分の形状を変更するか又は削除する、１の単位区分を複数に分割する、又は複数の単位区分を１に統合する、事も検討し、最適解を導く。
【００６２】
第１２図において、ＤＢ最適化手段が、単位区分図に、ｆ層３４とｆ＋１層３５との間に新ｆ＋１層３６を設け、旧ｆ＋１層３５以下を新ｆ＋２層以下へとずらし、図において新ｆ＋１層３６に３箇所の密集地域を抽出し、それぞれ新設する単位区分案を削減できるレコード数順に上から表示している（３７〜３９）。情報管理システムは、管理者に対して各密集地域について、最適案、即ち最上位に表示した単位区分を推奨するが、残りの案もリスト表示し、管理者に所望の単位区分案を選択可能とする。
【００６３】
次に、本発明の第２の実施の形態について説明する。第１３図は第２の実施の形態における情報管理システムの利用形態を説明する処理流れ図、第１４図は第２の実施の形態における情報管理システムが備える利用者位置ＤＢおよびコンテンツ位置ＤＢである。
【００６４】
第１３図において、情報は映像、楽曲、プログラム等のコンテンツであり、本発明の情報管理システムは該コンテンツを管理するコンテンツ管理システムであり、各種手段を実装した位置認証サーバ１６１と、利用者位置ＤＢ１６３を管理する利用者位置サーバ１６２と、コンテンツ位置ＤＢ１６５を管理するコンテンツ位置サーバ１６４より構成される。利用者位置ＤＢ１６３は、例えば利用者の携帯電話の位置が登録されたロケーションレジスタであり、その場合利用者位置サーバ１６１は携帯電話交換機であり、また利用者位置ＤＢ１６３は予め利用者により居所が登録された居所ＤＢである。コンテンツ位置ＤＢ１６５は、例えば各コンテンツの利用が許可された空間的位置が登録されており、具体的にコンテンツが通信販売ＷＥＢサイトであれば、その空間的位置は通信販売業者が法律等により制限された営業範囲である。
【００６５】
一方、コンテンツ管理装置１６６は、コンテンツを再生等の制御可能な装置であって、例えばコンテンツを配信するＷＥＢサーバ、またはコンテンツを再生する端末装置のいずれも該当する。コンテンツ１７３には固有に識別可能な識別情報１７４が記録されており、例えばワールドワイドウェブ（ＷＷＷ）におけるＵＲＬも該識別情報の１になり得る。一方、識別情報１７２は、コンテンツ制御装置１６６又は利用者１６７に固有の識別情報であり、例えば電話番号、位置認証サーバにより付与された利用者ＩＤ等である。
【００６６】
コンテンツ制御装置１６６において、利用者１６７によりコンテンツの利用が要求される（１７１）と、識別情報１７２および識別情報１７４を位置認証サーバ１６１へ通知し位置認証を要求（１７５）する。そして、位置認証サーバ１６１において、識別情報１７２を利用者位置サーバ１６２へ通知し識別情報１７２に関連付けられた利用者位置を要求した後に取得し、同様に識別情報１７４をコンテンツ位置サーバ１６４へ通知し識別情報１７４に関連づけられたコンテンツ位置を要求した後に取得し、両位置情報を照合（１７６）し、位置認証結果をコンテンツ制御装置１６６へ通知（１７７）する。そして、両位置情報に重複があり前記結果が「認証」であれ（１７８）ば、利用者１６７に対して、例えばコンテンツを再生するなど、コンテンツ１７３の利用要求を許可（１７９）し、一方、前記結果が「不認証」であれ（１７８）ば、コンテンツの利用要求を拒絶（１８０）する。
【００６７】
第１４図において、図示されない利用者位置サーバは利用者ＤＢを構成する、利用者位置ＤＢ１６３および利用者内容ＤＢ１８１を管理し、両ＤＢは情報ＩＤフィールドの値により関連付けられており、情報ＩＤは電子メールアドレスが用いられている。一方、図示されないコンテンツ位置サーバはコンテンツＤＢを構成する、コンテンツ位置ＤＢ１６５およびコンテンツ内容ＤＢ１８２を管理し、両ＤＢは情報ＩＤフィールドの値により関連付けられており、情報ＩＤはＷＥＢサイトのＵＲＬが用いられている。
【００６８】
【発明の効果】
本発明は、以上説明したような形態で実施され、以下に記載されるような効果を奏する。
【００６９】
空間的位置に関連付けて情報を登録可能で、空間的条件を手がかりに前記情報を出力可能とする情報管理装置を提供でき、特に所定の通信ネットワークを介して情報管理装置及び端末装置が接続され情報を入出力可能とする情報管理システムを提供でき、具体的に前記空間的位置と空間的条件の少なくとも一方は空間的にいびつな範囲を指定可能で、ＤＢ検索時間が登録される情報の量にほとんど影響されず、簡便に利用可能で、従来の技術よりも更にＤＢのサイズを削減可能とした情報管理システムを提供できる。
【００７０】
また情報に、一度情報ＤＢから出力されようとも、常に情報ＤＢに登録された空間的位置と関連付けておき、出力された情報が閲覧者によって利用されようとすると、利用者および情報にそれぞれ関連付け情報ＤＢに登録しておいた空間的位置を照合可能とし、該照合の結果に基づいて利用を許可又は拒絶可能にできる。
【図面の簡単な説明】
【図１】第１の実施の形態における情報管理システムの構成図である。
【図２】第１の実施の形態における情報管理システムの要部の処理流れ図である。
【図３】第１の実施の形態における情報管理システムが備える各種ＤＢおよび図である。
【図４】第１の実施の形態における情報内容入力画面である。
【図５】第１の実施の形態における情報位置入力画面である。
【図６】第１の実施の形態における一覧形式の情報位置出力画面である。
【図７】第１の実施の形態における地図形式の情報位置出力画面である。
【図８】第１の実施の形態における位置最適化手段を説明する処理流れ図および中間データファイルである。
【図９】第１の実施の形態における対話方式のＤＢ最適化手段を含む一連の処理を説明する処理流れ図である。
【図１０】第１の実施の形態における対話方式のＤＢ最適化手段により更新される単位区分図、単位区分ＤＢおよび情報位置ＤＢである。
【図１１】第１の実施の形態における自動方式のＤＢ最適化手段を含む一連の処理を説明する処理流れ図である。
【図１２】第１の実施の形態における自動方式のＤＢ最適化手段により更新される単位区分図、単位区分ＤＢおよび情報位置ＤＢである。
【図１３】第２の実施の形態における情報管理システムの利用形態を説明する処理流れ図である。
【図１４】第２の実施の形態における情報管理システムが備える利用者位置ＤＢおよびコンテンツ位置ＤＢである。
【図１５】従来の技術と本発明の技術とを対比して説明するグラフであり、位置情報を含む各種情報をＤＢに登録した場合の情報数とレコード数との関係を示すグラフである。




【手続補正書】
【提出日】平成14年11月18日(2002.11.18)
【手続補正１】
【補正対象書類名】明細書
【補正対象項目名】特許請求の範囲
【補正方法】変更
【補正の内容】
【特許請求の範囲】
【請求項１】
所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報と要求の少なくとも一方（以下「情報／要求」と記載する）をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置と空間的条件の少なくとも一方（以下「空間的位置／空間的条件」と記載する）が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理システム。
【請求項２】
情報をＤＢへ登録可能で情報をＤＢより出力可能とする情報管理装置であって、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理装置。
【請求項３】
情報をＤＢへ登録し情報をＤＢより出力する情報管理方法であって、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録するＤＢ登録段階と、要求と情報とを照合するＤＢ検索段階と、ＤＢ検索手段により選択した情報を情報受給者へ出力する情報出力段階と、空間的位置／空間的条件が入力されると、空間的位置／空間的条件を、データサイズをより小さくするよう前記単位区分を選択し表現する位置最適化段階を備え、前記位置最適化段階は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択する事を特徴とする情報管理方法。
【請求項４】
コンピュータのＤＢに情報を登録可能で登録された情報を選択可能とするための情報管理プログラムであって、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段として機能させ、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理プログラム。
【請求項５】
所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備える事を特徴とする情報管理システム。
【請求項６】
情報をＤＢへ登録可能で情報をＤＢより出力可能とする情報管理装置であって、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備える事を特徴とする情報管理装置。
【請求項７】
情報をＤＢへ登録し情報をＤＢより出力する情報管理方法であって、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報／要求をＤＢへ登録可能とするＤＢ登録段階と、要求と情報とを照合するＤＢ検索段階と、ＤＢ検索段階により選択した情報を情報受給者へ出力する情報出力段階と、空間的位置／空間的条件が入力されると前記単位区分をより少なく組合せデータサイズを小さくする位置最適化段階を備え、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化段階を備える事を特徴とする情報管理方法。
【請求項８】
コンピュータのＤＢに情報を登録可能で登録された情報を選択可能とするための情報管理プログラムであって、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくする位置最適化手段として機能させ、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段として機能させるための情報管理プログラム。
【請求項９】
所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくして表現する位置最適化手段を備え、情報にＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能とする事を特徴とする情報管理システム。
【請求項１０】
ＤＢへ情報を登録可能とし、ＤＢより情報を出力可能とする情報管理装置であって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報／要求をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると前記単位区分をより少なく組合せデータサイズを小さくして表現する位置最適化手段を備え、情報にＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能とする事を特徴とする情報管理装置。
【請求項１１】
コンピュータを情報を制御可能に機能させるための情報制御プログラムであって、コンピュータを、情報の制御要求を受領する手段と、コンピュータ又は制御要求者に関連付けられた空間的位置と情報に関連付けられた空間的位置との照合による認証を所定の通信ネットワークを介して接続されたホストに対して要求する手段と、ホストより前記照合による認証の結果を受領する手段と、前記情報の制御要求を、前記結果が認証であれば許可し、不認証であれば拒絶可能とする手段として機能させるための情報制御プログラムであって、コンピュータ又は制御要求者に関連付けられた空間的位置と情報に関連付けられた空間的位置の少なくとも一方は前記ホストに接続された１又は２以上のＤＢに登録されている事を特徴とする情報制御プログラム。
【請求項１２】
前記空間的位置は、予め空間を複数の単位区分に分割し、更に空間を少なくとも一の外の複数の単位区分にも分割しておき、該単位区分をより少なく組合せデータサイズを小さくして表現される事を特徴とする請求項１１に記載の情報制御プログラム。
【請求項１３】
前記空間的位置は、前記単位区分をより少なく組合せデータサイズを小さくして表現する位置最適化手段により最適化される事を特徴とする請求項１２に記載の情報制御プログラム。
【請求項１４】
前記空間的位置は、予め空間を複数の単位区分に分割し、更に空間を少なくとも一の外の複数の単位区分にも分割しておき、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択される事を特徴とする請求項１１に記載の情報制御プログラム。
【請求項１５】
前記空間的位置は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする位置最適化手段により最適化される事を特徴とする請求項１２に記載の情報制御プログラム。
【手続補正２】
【補正対象書類名】明細書
【補正対象項目名】００２３
【補正方法】変更
【補正の内容】
【００２３】そして前記情報管理装置において、前記技術１として、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能としている。


【手続補正３】
【補正対象書類名】明細書
【補正対象項目名】００２４
【補正方法】変更
【補正の内容】
【００２４】また前記情報管理装置において、前記技術２として、更に、所定の条件を満たすことで、ＤＢに登録された複数の空間的位置／空間的条件に含まれ統合可能な複数の単位区分を検出し、該複数の単位区分を統合する一の単位区分を新設し、当該複数の空間的位置／空間的条件を新設した単位区分で置換しＤＢのサイズを小さくするＤＢ最適化手段を備えている。


【手続補正４】
【補正対象書類名】明細書
【補正対象項目名】００２５
【補正方法】変更
【補正の内容】
【００２５】また前記情報管理装置において、情報にはＤＢから出力されようともＤＢに登録された空間的位置と関連付けておき、出力された情報が利用者によって利用されようとすると、利用者および情報にそれぞれ関連付けＤＢに登録しておいた空間的位置を照合可能とし、該照合の結果に基づいて利用を許可又は拒絶可能としている。




【手続補正書】
【提出日】平成15年3月12日(2003.3.12)
【手続補正１】
【補正対象書類名】明細書
【補正対象項目名】特許請求の範囲
【補正方法】変更
【補正の内容】
【特許請求の範囲】
【請求項１】
所定の通信ネットワークを介してホストに接続されたＤＢへ端末装置より情報を登録可能とし、ＤＢより端末装置へ情報を出力可能とする情報管理システムであって、予め空間を複数の単位区分に分割し、更に空間を少なくとも一の外の複数の単位区分にも分割しておき、情報提供者に対して所望の空間的位置を含む情報を入力可能とする情報入力手段と、情報受給者に対して所望の空間的条件を含む要求を入力可能とする要求入力手段と、情報と要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置と空間的条件の少なくとも一方（以下「空間的位置／空間的条件」とする）が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理システム。
【請求項２】
情報をＤＢへ登録可能で情報をＤＢより出力可能とする情報管理装置であって、予め空間を複数の単位区分に分割し、更に空間を少なくとも一の外の複数の単位区分にも分割しておき、情報および要求を入力可能な入力部と、情報を確認および出力可能な出力部と、空間的位置を含む情報を登録可能とするＤＢと、所望の空間的位置を含む情報を入力可能とする情報入力手段と、情報受給者に対して所望の空間的条件を含む要求を入力可能とする要求入力手段と、情報と要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段を備え、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理装置。
【請求項３】
情報をＤＢへ登録し情報をＤＢより出力する情報管理方法であって、予め空間を複数の単位区分に分割し、更に空間を少なくとも一の外の複数の単位区分にも分割しておき、情報提供者に対して所望の空間的位置を含む情報を入力させる情報入力段階と、情報受給者に対して所望の空間的条件を含む要求を入力させる要求入力段階と、情報と要求の少なくとも一方をＤＢへ登録するＤＢ登録段階と、要求と情報とを照合するＤＢ検索段階と、ＤＢ検索手段により選択した情報を情報受給者へ出力する情報出力段階と、空間的位置／空間的条件が入力されると、空間的位置／空間的条件を、データサイズをより小さくするよう前記単位区分を選択し表現する位置最適化段階を備え、前記位置最適化段階は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択する事を特徴とする情報管理方法。
【請求項４】
コンピュータのＤＢに情報を登録可能で登録された情報を選択可能とするための情報管理プログラムであって、コンピュータを、予め空間を複数の単位区分に分割し、更に空間を少なくとも一の外の複数の単位区分にも分割しておき、入力された空間的位置を含む情報と入力された空間的条件を含む要求の少なくとも一方をＤＢへ登録可能とするＤＢ登録手段と、要求と情報とを照合可能とするＤＢ検索手段と、ＤＢ検索手段により選択した情報を情報受給者へ出力可能とする情報出力手段と、空間的位置／空間的条件が入力されると、空間的位置／空間的条件を、データサイズをより小さくするよう前記単位区分を選択し表現する位置最適化手段として機能させ、前記位置最適化手段は、空間的位置／空間的条件より小さな単位区分を少なく組合せる加算方式と、空間的位置／空間的条件より大きな単位区分とその差分とを少なく組合せる減算方式の、各演算結果から１又は２以上を組合せ選択可能とする事を特徴とする情報管理プログラム。
【手続補正２】
【補正対象書類名】明細書
【補正対象項目名】０００５
【補正方法】変更
【補正の内容】
【０００５】
そこで本発明の出願人は、前記問題点を鑑み、先に特許を出願した（特許文献３参照。）。該特許文献３において、前記空間的位置と空間的条件の少なくとも一方は空間的にいびつな範囲を指定可能で、ＤＢ検索時間が登録される情報の量にほとんど影響されず、簡便に利用可能な情報管理システムを提供する事を可能とした。